(57)【要約】  プライバシーを確保したものでありながら、軽量且つ組み立て・分解を容易に行うことができ、しかも、汚物収納容量を確保しつつ焼却処分を可能とすることができる簡易型トイレを提供すること。  少なくとも一つの出入口と換気口とを有する周壁ユニットと、周壁ユニットの内側において排便用の開口を形成した床板の下方に周壁ユニットの断面形状と一致する便槽壁を有する便槽ユニットと、を備え、周壁ユニットは、高さ方向又は高さ方向に垂直な方向に沿って組み付け可能に分割されるとともに、組み付け状態において筒状となる壁面部を備え、便槽ユニットは、便槽壁の下端縁で重なって便槽壁の下端開口を覆う床板と、便槽壁の上端縁で重なって便槽壁の上端開口を覆う床板と、防水効果のある内壁面と、を備える。
2018012630.tif 000002
【特許請求の範囲】
【請求項１】
少なくとも一つの出入口と換気口とを有する周壁ユニットと、前記周壁ユニットの内側において排便用の開口を形成した床板の下方に便槽壁を有する便槽ユニットと、を備え、
前記周壁ユニットは、
高さ方向又は高さ方向に垂直な方向に沿って組み付け可能に分割されるとともに、組み付け状態において筒状となる壁面部を備え、
前記便槽ユニットは、
前記便槽壁の下端縁で重なって前記便槽壁の下端開口を覆う底板と、
前記便槽壁の上端縁で重なって前記便槽壁の上端開口を覆う前記床板と、
防水効果のある内壁面と、
を備える、簡易型トイレ。
【請求項２】
前記周壁ユニットは、段ボール製、板紙、又は、プラスチック製のパネル構造である
ことを特徴とする請求項１に記載の簡易型トイレ。
【請求項３】
前記便槽ユニットは、
前記便槽壁の内部に収納可能な蛇腹状の周壁を有する仕切壁と、
前記仕切壁の内側に嵌り込んで前記仕切壁の断面形状を維持する補強部材と、
を備える、ことを特徴とする請求項１又は２に記載の簡易型トイレ。
【請求項４】
前記底板は、
前記便槽ユニットの全体を吊り上げるための起立可能な複数のフランジを一体に備える、
ことを特徴とする請求項１乃至３のいずれか一項に記載の簡易型トイレ。
【発明の詳細な説明】
【技術分野】
【０００１】
本発明は、簡易型トイレ、特に、災害発生時や屋外イベント開催時等の現場に設置することができる簡易型トイレに関する。
【背景技術】
【０００２】
従来から、災害発生時等においては、道路、電気、水道、トイレ等のインフラ整備をどれだけ速やかに復旧又は対応することができるかが被災者にとって非常に大事な問題となっている。【０００３】
ここで、トイレにあっては、予め避難場所として指定された場所に、災害発生時等に利用可能な臨時のマンホールを設置し、下水に汚物を破棄する簡易トイレの設置が可能となっている（例えば、特許文献１参照）。【０００４】
また、便座付きの椅子の下方に汚物回収容器（ビニール袋等を含む）を着脱若しくは交換可能に設置することによって、臨時の対応を可能とした簡易型トイレも知られている（例えば、特許文献２参照）。【０００５】
さらに、災害発生時等に組み立て可能な簡易トイレの便槽ユニットに、汚物回収容器（ビニール袋等を含む）を設けた簡易型トイレも知られている（例えば、特許文献３参照）。
【先行技術文献】
【特許文献】
【０００６】
【特許文献１】特開平１１−０４７０３３号公報
【特許文献２】特開２００５−１９２９３５号公報
【特許文献３】特開平９−４９３４０号公報
【発明の概要】
【発明が解決しようとする課題】
【０００７】
しかしながら、例えば、予め災害発生時用に所定の場所に設置したマンホールにあっては、インフラ整備が大変なうえ、限られた場所にしか簡易型トイレを設置することができないという問題があった。【０００８】
一方、専用の便器付き椅子に汚物回収容器を着脱若しくは交換可能としたものにあっては、プライバシーを保てる空間を確保することができないうえ、多くの人が非難するような場所への対応が困難であるという問題が生じていた。【０００９】
また、簡易トイレの便槽ユニットに、汚物回収容器（ビニール袋等を含む）を設けると、当該汚物回収容器を設けるための構造が必要となり、便槽ユニットの構造が複雑化するうえ、汚物回収容器の大きさ分しか汚物を回収できないという問題も生じていた。また、汚物回収容器を便槽ユニットの中に別途設けるため、汚物を保管可能な容量が少なくなるおそれがあり、汚物を大量に保管できないという問題もある。さらに、便槽ユニットの構造が複雑化するため、簡易トイレをコンパクトにすることが難しい場合もあり、当該簡易トイレを倉庫等に備蓄する際にスペースを取るおそれが生じ、その場合、少数の簡易トイレしか備蓄できないという問題もある。【００１０】
ここで、災害発生時におけるプライバシーの保護を可能とする簡易型トイレで問題となっているものは、例えば、建築現場等に作業者用として設置される強固なスチールパネルや樹脂製の公知の仮設トイレである場合がほとんどであり、大型で重く、搬送車が大型トラック（例えば、４ｔ）で現場にたどり着けない、重いために人数を要する、設置が難しい、容量の確保が困難なうえ処分が困難、などの問題が挙げられる。【００１１】
一方、各自治体における災害発生時のインフラ整備において、トイレをめぐる現状に関しては、他のインフラ整備や水・食料の調達等に比べて非常に遅いとも言われている。また、例えば、平成７年の阪神・淡路大震災や平成２３年の東日本大震災においては、避難所等で健康を害して死亡するという関連死がみられた。その原因の一つに、トイレ問題があげられている。【００１２】
阪神・淡路大震災では、約９００人が震災関連死として認定されている。その死亡原因をみると、３割程度が心筋梗塞や脳梗塞で亡くなっている。また、ストレスの蓄積もあるが、トイレを無理に我慢したことも影響している。トイレを我慢して水を飲まなかったり食事を摂らないために、血液の流れが悪くなり心臓に負担をかけて、死を招いたとも言われている。【００１３】
さらに、東日本大震災では、断水や停電、給排水管の損壊、汚水処理施設の被災により、多くの地域において水洗トイレが使用できなくなった。そのため、災害発生直後のトイレは排泄物で一杯になり、劣悪な衛生状態となったところも少なくない。【００１４】
これらの実際に発生した災害時におけるトイレ事情として、具体的には、平成７年の阪神・淡路大震災の場合、避難所に災害用トイレが設置されたのは早いところでも３日目以降となってしまい、最大で１１日目に設置されたという事例もあった。平成１６年の新潟中越地震災害用トイレは１００人に１基の割合でしか設置できず、数が圧倒的に足りないという問題があった。平成２３年の東日本大震災では、トイレの数もバキュームカーの数も不足していたため、使用不可のトイレが多数あった（平成２６年  兵庫県  避難所等におけるトイレ対策検討会  発表）。【００１５】
本発明は、上述のような課題を解決するために、プライバシーを確保したものでありながら、軽量且つ組み立て・分解を容易に行うことができ、それによって、倉庫等に数多く備蓄することが可能であり、しかも、汚物収納容量を確保ししつつ汚物を収容したまま保管可能であり、さらに、焼却処分を可能とすることができる簡易型トイレを提供することを目的とする。
【課題を解決するための手段】
【００１６】
本発明に係る簡易型トイレは、上記目的を達成のため、少なくとも一つの出入口と換気口とを有する周壁ユニットと、周壁ユニットの内側において排便用の開口を形成した床板の下方に便槽壁を有する便槽ユニットと、を備え、周壁ユニットは、高さ方向又は高さ方向に垂直な方向に沿って組み付け可能に分割されるとともに、組み付け状態において筒状となる壁面部を備え、便槽ユニットは、便槽壁の下端縁で重なって便槽壁の下端開口を覆う床板と、便槽壁の上端縁で重なって便槽壁の上端開口を覆う床板と、防水効果のある内壁面と、を備えるものである。
【発明の効果】
【００１７】
本発明によれば、軽量且つ加工及び強度の確保が容易な段ボールによって周壁ユニットと便槽ユニットとで構成することにより、プライバシーを確保したものでありながら、軽量且つ組み立て・分解を容易に行うことができ、それによって、倉庫等に数多く備蓄することが可能であり、しかも、汚物収納容量を確保しつつ汚物を収容したまま保管可能であり、さらに、焼却処分を可能とすることができる。なお、段ボールとは、紙製又は樹脂製の何れでもよく、再生紙を用いた圧縮シートを重ね合わせたものでもよい。【００１８】
また、本発明によれば、周壁ユニットと便槽ユニットとは、段ボール以外の素材で形成してもよく、軽量且つ加工及び強度の確保が容易な素材によって周壁ユニットと便槽ユニットとで構成することにより、プライバシーを確保したものでありながら、軽量且つ組み立て・分解を容易に行うことができ、しかも、汚物収納容量を確保しつつ汚物を収容したまま保管可能であり、さらに、焼却処分を可能とすることができる。
【図面の簡単な説明】
【００１９】
【図１】（Ａ）は簡易型トイレを大別した状態の分解斜視図、（Ｂ）は簡易型トイレを組み立て前の搬送用収納状態とした収納箱の斜視図である。
【図２】簡易型トイレの設置（配置）の一例の説明図である。
【図３】簡易型トイレの全体の分解斜視図である。
【図４】簡易型トイレの組み立て手順を示す説明図である。
【図５】（Ａ）は汚物収納容器を回収する際の説明図、（Ｂ）は回収した汚物収納容器を段積みした例の説明図である。
【図６】簡易型トイレの全体の分解斜視図の他の例である。
【図７】簡易型トイレの組み立て手順を示す他の説明図である。
【図８】簡易型トイレの全体斜視図の例である。
【図９】簡易型トイレの全体斜視図の他の例である。
【図１０】簡易型トイレの全体斜視図の他の例である。
【図１１】便槽ユニットの底面の構成例を示す図である。
【発明を実施するための形態】
【００２０】
（第１の実施形態）
次に、本発明に係る第１の実施形態について図面を参照して説明する。図１（Ａ）に示すように、簡易型トイレ１は、段ボール製の周壁ユニット１０と、段ボール製の便槽ユニット２０と、を備える。
【００２１】
簡易型トイレ１は、例えば、被災地であれば上述したように強固なスチールパネルや樹脂製の仮設トイレが３〜４日で設置され、野外コンサート等のイベントでは開催期間は１〜２日である。したがって、簡易型トイレ１は、少なくとも、延べ人数で１００〜２００人分の汚物の収容及び耐久性を有するように設定している。また、簡易型トイレ１は、段ボール製であるために、軽量かつ焼却処分が可能である。さらに、簡易型トイレ１は、例えば、図１（Ｂ）に示すように、段ボール製の箱２に収納可能であり、例えば、トイレットペーパー等の付属品を含めて５０〜８０ｋｇ程度の重量とすることにより、少人数での持ち運び並びに組み立てを可能とする。
【００２２】
この際、箱２の大きさは長さ２７００ｍｍ程度、幅６００ｍｍ〜７００ｍｍ程度、厚さ２００ｍｍ程度（後述する周壁ユニット１０の寸法を基準）であるため、小型で足回りの良いトラック（例えば、１ｔ又は２ｔ）等で複数台の搬送を実現することができ、被災地等での汎用性に優れたものとすることができる。ちなみに、公知の１ｔトラックであっても、荷台長２７３５ｍｍ、荷台幅１６００ｍｍ、積載量９００ｋｇ程度の車が数種類あることから、１度に１０台程度の輸送が可能となる。したがって、災害備蓄品としての省スペースで大量かつ長期間の備蓄が可能である。以下、詳述する。
【００２３】
また、簡易型トイレ１で使用する段ボールシートは、公知の紙製段ボールシート、例えば、原紙を段繰り成形した中芯の両面にライナを貼り合わせたものである。この際、中芯及びライナの撥水度（ＪＩＳＰ８１３７）はＲ６以上であり、合成樹脂エマルジョン、熱硬化性樹脂及び架橋剤を含む段ボール用接着剤によって中芯とライナとを貼り合わせ、耐水性をある程度確保したうえで、複数枚の段ボールシートを重ね合わせて強度を確保し、便槽ユニット２０の潰れや中芯とライナとの剥離が発生しない状態とする。そのうえで、例えば、便槽内の壁面や床板の上面に燃焼可能な防水コーティング処理等を施すのが好ましい。なお、同様の樹脂製段ボールシートのほか、再生紙、或は、その他の化学繊維等を高圧縮して作成したシート材を高圧縮したシート等での代用も可能である。
【００２４】
周壁ユニット１０は、少なくとも対称形状となるように高さ方向に沿って組み付け可能に二分割した分割体１１、１２を備え、この分割体１１、１２を組み付けた状態において断面正六角形の筒体形状となる。分割体１１、１２は、各三面の壁面部１１ａ、１１ｂ、１１ｃ及び壁面部１２ａ、１２ｂ、１２ｃを備える。周壁ユニット１０は、高さ２７００ｍｍ、各壁面部１１ａ、１１ｂ、１１ｃ、１２ａ、１２ｂ、１２ｃの幅６００ｍｍ〜７００ｍｍ、程度の寸法となっている。壁面部１１ａ、１１ｃ及び壁面部１２ａ、１２ｃの両端には、分割体１１、１２を組み付ける際の重ね代１１ｄ、１１ｅ及び重ね代１２ｄ、１２ｅを一体に有している。この際、重ね代１１ｄと重ね代１２ｄ及び重ね代１１ｅと重ね代１２ｅとは、例えば、上下方向で結合可能な上向き及び下向きのフック、はと目、各種接着剤、等を用いて重ね合わせることが可能である。なお、分割体１１、１２は、組み付けの容易性の観点から２分割としているが、分割数は任意である。また、周壁ユニット１０の外観を正六面の筒体形状としているが、正六面のほか、正多角形状の筒体或は多角形状の筒体、円筒体とすることも可能である。
【００２５】
壁面部１１ｂには、出入口用のドア１３を設けている。ドア１３は、地上高６００ｍｍ以上の高さから上端付近の高さを利用している。ドア１３は、例えば、高さ１８００ｍｍ〜２０００ｍｍ、幅５００ｍｍ〜６００ｍｍ程度の出入口を確保し、その開口部分を開閉可能とするのが望ましい。ドア１３には、簡易式の内カギや使用・不使用を外部から認識することができるお知らせ窓等を設けることができる。ドア１３は、壁面部１１ｂの高さ方向の一辺を除く３辺に切り込みを入れて開閉可能としてもよいし、出入口としての開口を形成したうえで別途の段ボール製のドア１３をヒンジを介して開閉可能に設けてもよい。この際、例えば、箱２の一部を容易にくり抜くことによって利用してもよい。また、箱２は出入口までの階段若しくは踏み台を作成するために用いてもよい。ドア１３は、延べ１００〜２００回の開閉操作を許容することができればよいため、周壁ユニット１０の焼却処分を考慮すると、可燃性かつ取り付けが容易な簡素な構成で足りる。
【００２６】
また、くり抜き若しくは開閉可能な切れ目を入れることによって、壁面部１１ａ、１１ｃ、１２ｂの上端付近には上部換気口１４、壁面部１２ａ、１２ｃの下方には下部換気口１５、を設けることができる。この際、特に下部換気口１５は床面付近に形成することによってトイレ内部に悪臭が籠ることを抑制することができる。なお、図２に示すように、簡易型トイレ１は、使用を開始してから便槽ユニット２０にある程度の汚物が溜まるまでの期間は軽量であるため、複数台の簡易型トイレ１を周回状等に隣接させることにより、全体として風対策に対応することができる。したがって、このような配置を考慮して上部換気口１４及び下部換気口１５は少なくとも一つ以上を有するように選択可能に各壁面部１１ａ、１１ｂ、１１ｃ、１２ａ、１２ｂ、１２ｃに設けることも可能である。
【００２７】
周壁ユニット１０は、屋根１６を有する。屋根１６は、分割体１１、１２を組み付けた後の上部開放端を覆うようになっている。屋根１６は、白色透明等の透光性を有するプラスチック製の段ボールを用いて採光可能としてもよい。屋根１６は、上部開放端を覆うことができればよいため、重ね合わせをしていない１枚シートで足りる。屋根１６は、各辺又は交互の３辺を折り曲げて分割体１１、１２との重ね代とすることができる。
【００２８】
便槽ユニット２０は、図３に示すように、底板２１、正六角柱状の便槽壁２２、蛇腹状周壁の仕切壁２３、等辺六芒星形状の補強部材２４、排便用の開口２５ａを形成した床板２５、を有する。
【００２９】
底板２１は、正六角形状のベース部２１ａの各辺から重ね代を立ち上げるとともに、そのうちの隣り合わない３辺に起立可能なフランジ２１ｂを一体に備えている。
【００３０】
便槽壁２２は、折り畳み可能な正六角柱状に形成され、その下端縁を底板２１のベース部２１ａに一致させ、フランジ２１ｂの下端付近を含む底板２１の重ね代を外側として接着剤等によって水密性を確保するように底板２１と接合される。便槽壁２２は、分割体１１、１２を組み合わせたときの内寸に対して外寸が略一致する寸法形状の正六角柱とするのが望ましい。
【００３１】
仕切壁２３は、折り畳み可能な筒体形状とされ、便槽壁２２の内部に収納可能な断面蛇腹状の周壁を有する。なお、ここでの蛇腹状とは、軸線に対して直交する周壁断面形状が蛇腹状という意味である。仕切壁２３の多数の頂点は便槽壁２２の内壁面に当接する。糞尿を含む汚物は、この仕切壁２３の内側に溜まるようになっている。
【００３２】
補強部材２４は、正三角形状の枠体２４Ａ、２４Ｂを組み合わせて等辺六芒星形状とすることにより、分解状態での折り畳みを可能としており、組み合わせ状態で仕切壁２３の内側に嵌り込んで仕切壁２３の断面形状を維持するようになっている。
【００３３】
床板２５は、排便用の開口２５ａを形成した正六角形状のベース部２５ｂの各辺から重ね代を下向きに立ち上げている。床板２５は、便槽壁２２の上端縁にベース部２５ｂを一致させ、床板２５の重ね代を外側として接着剤等によって水密性を確保するように便槽壁２２の上端縁で重なって便槽壁の上端開口を覆う。床板２５は、例えば、１００ｋｇ程度の耐荷重を有する厚さとしたうえで、公知の簡易便座や椅子、或は専用の便器（図示せず）を搭載することができるようになっている。したがって、開口２５ａの大きさや位置は任意である。また、状況に応じて、囲い等を形成してもよい。この際、囲いは開口２５ａのくり抜き部分等を利用することができる。また、専用の便器としては、例えば、開口２５ａを基準として床板２５にスライド或は回転可能に取り付けることも可能である。また、専用の便器には、折り畳み、伸縮、組み立て及び分解可能な紙製（段ボール製）とすることも可能である。
【００３４】
このような基本構成において、簡易型トイレ１は、図１（Ｂ）に示す箱２の内部に適宜折り畳み状態で収納されている。そして、使用する際には、箱２から各パーツを取り出し、図４に示すように、底板２１に便槽壁２２を取り付けて便槽壁２２の下端開口を覆い、便槽壁２２の内部に仕切壁２３を挿入し、補強部材２４を組み合わせた状態で仕切壁２３の内部に嵌め込み、便槽壁２２に床板２５を取り付けて便槽ユニット２０を組み立てる。
【００３５】
この状態から、フランジ２１ｂを立ち上げた状態で便槽ユニット２０を取り巻くように分割体１１、１２を組み付け、最後に屋根１６を組み付けて簡易型トイレ１の組み立てが完了する。したがって、特別な技量を有することなく簡易型トイレ１を組み立てることができる。また、組み立て直後（使用前）にあっては、軽量状態を維持しているため、そのまま、或は便槽ユニット２０のみを組み立てた状態で配置の調整といった移動も容易に行うことができる。
【００３６】
一方、簡易型トイレ１を解体する場合には、上記と逆の手順で周壁ユニット１０のみ、すなわち、屋根１６と分割体１１、１２とを分解するだけで、便槽ユニット２０は、ユニットごと焼却処分に供することができる。
【００３７】
この際、底板２１は、便槽ユニット２０の全体を小型クレーン等で吊り上げるための起立可能な複数のフランジ２１ｂを一体に備える。これにより、図５（Ａ）に示すように、簡易型トイレ１の外郭である分割体１１、１２及び屋根１６を分解した状態で、フランジ２１ｂの先端を便槽ユニット２０の中心軸側に寄せた状態で小型クレーン等で吊り上げ、図５（Ｂ）に示すように、複数の便槽ユニット２０を縦横に段積み積載することができ、一時保管や焼却場等への輸送に供することができる。
【００３８】
（第２の実施形態）
第２の実施形態は、周壁ユニット１０が上下方向に分割されており、当該分割された分割体を高さ方向に垂直な方向に沿って組み付ける場合の実施形態である。
【００３９】
図６は、簡易型トイレの全体の分解斜視図の他の例である。図６に示す例では、周壁ユニット１０が上下方向に分割されており、当該分割された分割体を高さ方向に垂直な方向に沿って組み付けることで、周壁ユニット１０を形成する。図６に示すように、周壁ユニット１０は、例えば、高さ方向に垂直な方向に沿って組み付け可能に二分割した分割体３１、３２を備え、この分割体３１、３２の各々は断面正六角形の筒体形状のうちの５面を形成する。分割体３１、３２は、各五面の壁面部３１ｇ、３１ｈ、３１ｉ、３１ｊ、３１ｋ及び壁面部３２ｇ、３２ｈ、３２ｉ、３２ｊ、３２ｋを備える。周壁ユニット１０は、高さ２７００ｍｍ、各壁面部３１ｇ、３１ｈ、３１ｉ、３１ｊ、３１ｋ、３２ｇ、３２ｈ、３２ｉ、３２ｊ、３２ｋの高さ１３５０ｍｍ、幅６００ｍｍ〜７００ｍｍ、程度の寸法となっている。なお、分割体３１には、壁面部３１ｌが設けられていてもよい。側面部３１ｌの高さ方向の長さは、他の側面部３１ｇ乃至３１ｋの高さ方向の長さよりも短く、例えば３００ｍｍ程度であり、当該側面部３１ｌの下方にドア１３を取り付けることができるように構成される。
【００４０】
壁面部３１ｇ、３１ｈ、３１ｉ、３１ｊ、３１ｋ及び壁面部３２ｇ、３２ｈ、３２ｉ、３２ｊ、３２ｋのそれぞれは、互いに結合可能である。この際、壁面部３１ｇと壁面部３２ｇ、壁面部３１ｈと壁面部３２ｈ、壁面部３１ｉと壁面部３２ｉ、壁面部３１ｊと壁面部３２ｊ及び壁面部３１ｋと壁面部３２ｋは、上下方向で結合可能な上向き及び下向きのフック、はと目、各種接着剤、等を用いて結合させることが可能である。なお、分割体３１、３２は、組み付けの容易性の観点から２分割としているが、分割数は任意である。また、周壁ユニット１０の外観を正六面の筒体形状としているが、正六面のほか、正多角形状の筒体或は多角形状の筒体、円筒体とすることも可能である。
【００４１】
周壁ユニット１０には、出入口用のドア１３が設けられる。ドア１３は、地上高６００ｍｍ前後の高さから上端付近の高さを利用している。ドア１３は、例えば、高さ１８００ｍｍ〜２０００ｍｍ、幅５００ｍｍ〜６００ｍｍ程度の出入口を確保し、その開口部分を開閉可能とするのが望ましい。ドア１３には、簡易式の内カギや使用・不使用を外部から認識することができるお知らせ窓等を設けることができる。ドア１３は、分割体３１の側面部３１ｇと３１ｋの間、及び、分割体３２の側面部３２ｇと３２ｋの間に設けられる。ドア１３は、延べ２００〜３００回の開閉操作を許容することができればよいため、周壁ユニット１０の焼却処分を考慮すると、可燃性かつ取り付けが容易な簡素な構成で足りる。なお、ドア１３は、地上高６００ｍｍ前後である必要はなく、どのような高さに設けられていてもよい。また、ドア１３の出入り口は、高さ１８００ｍｍ〜２０００ｍｍである必要はなく、どのような高さであってもよい。さらに、ドア１３の出入り口は、幅５００ｍｍ〜６００ｍｍ程度である必要もなく、どのような幅であってもよい。さらに、ドアの開閉操作は、延べ３００回以上の開閉操作に耐えうるものであってもよいことは言うまでもない。
【００４２】
また、くり抜き若しくは開閉可能な切れ目を入れることによって、壁面部３１には上部換気口１４、壁面部３２には下部換気口１５、を設けることができる。この際、上部換気口１４及び下部換気口１５を形成することによってトイレ内部に悪臭が籠ることを抑制することができる。
【００４３】
周壁ユニット１０は、屋根１６を有する。屋根１６は、分割体３１の上部開放端を覆うようになっている。屋根１６は、白色透明等の透光性を有するプラスチック製の段ボールを用いて採光可能としてもよい。屋根１６は、上部開放端を覆うことができればよいため、重ね合わせをしていない１枚シートで足りる。
【００４４】
便槽ユニット２０は、図６に示すように、底板２１、正六角柱状の便槽壁２２、排便用の開口２５ａを形成した床板２５、を有する。なお、便槽ユニット２０は、必ずしも正六角柱状の便槽壁２２から構成されるものである必要はなく、どのような形状であってもよい。
【００４５】
底板２１は、正六角形状のベース部２１ａの各辺から重ね代を立ち上げる。
【００４６】
便槽壁２２は、折り畳み可能な正六角柱状に形成され、その下端縁を底板２１のベース部２１ａに一致させ、底板２１の重ね代を外側として接着剤等によって水密性を確保するように底板２１と接合される。便槽壁２２は、分割体１１、１２を組み合わせたときの内寸に対して外寸が略一致する寸法形状の正六角柱とするのが望ましい。便槽壁２２の内面は、便槽内の壁面や床板の上面に燃焼可能な防水コーティング処理等を施すのが好ましい。すなわち、便槽内の壁面や床板の上面は、防水効果のある素材で形成される。なお、便槽内の壁面や床板の上面は、防水コーティングに限らず、防水効果があればどのような処理が施されてもよい。また、樹脂製シートや紙製段ボールシートのほか、再生紙やその他の化学繊維等を高圧縮して作成したシート材を高圧縮したシート等での代用も可能である。
【００４７】
床板２５は、排便用の開口２５ａを形成した正六角形状のベース部２５ｂの各辺から重ね代を下向きに立ち上げている。床板２５は、便槽壁２２の上端縁にベース部２５ｂを一致させ、床板２５の重ね代を外側として接着剤等によって水密性を確保するように便槽壁２２の上端縁で重なって便槽壁の上端開口を覆う。床板２５は、例えば、１００ｋｇ程度の耐荷重を有する厚さとしたうえで、公知の簡易便座や椅子、或は専用の便器（図示せず）を搭載することができるようになっている。したがって、開口２５ａの大きさや位置は任意である。また、状況に応じて、囲い等を形成してもよい。この際、囲いは開口２５ａのくり抜き部分等を利用することができる。また、専用の便器としては、例えば、開口２５ａを基準として床板２５にスライド或は回転可能に取り付けることも可能である。また、専用の便器には、折り畳み、伸縮、組み立て及び分解可能なプラスチック製や紙製、発泡スチロールとテトロンシートとの一体成型、その他の素材とすることが可能である。
【００４８】
図７は、簡易型トイレの組み立て手順を示す他の説明図であり、分割体３１と分割体３２とを結合する場合の例を示す。簡易型トイレ１を使用する際には、箱２から各パーツを取り出し、図７に示すように、便槽ユニット２０に分割体３２を組み付け、その後、分割体３２に分割体３１を組み付ける。この場合、壁面部３１ｇと壁面部３２ｇ、壁面部３１ｈと壁面部３２ｈ、壁面部３１ｉと壁面部３２ｉ、壁面部３１ｊと壁面部３２ｊ及び壁面部３１ｋと壁面部３２ｋとを、上下方向で結合可能な上向き及び下向きのフックや、はと目、各種接着剤、等を用いて結合させる。その後、屋根１６を組み付ける。そして、最後にドア１３を取付けて簡易型トイレ１の組み立てが完了する。したがって、特別な技量を有することなく簡易型トイレ１を組み立てることができる。また、組み立て直後（使用前）にあっては、軽量状態を維持しているため、そのまま、或は便槽ユニット２０のみを組み立てた状態で配置の調整といった移動も容易に行うことができる。
【００４９】
一方、簡易型トイレ１を解体する場合には、上記と逆の手順で周壁ユニット１０のみ、すなわち、屋根１６と分割体３１、３２とを分解するだけで、便槽ユニット２０は、ユニットごと焼却処分に供することができる。すなわち、便槽ユニット２０は、そのまま汚物を収容することができるので、汚物収納容量を確保しつつ汚物を収容したまま保管可能であり、さらに、焼却処分を可能とすることもできる。
【００５０】
図８は、簡易型トイレ１の全体斜視図の他の例である。図８に例示するように、簡易型トイレ１において、便槽ユニット２０は、必ずしも正六角柱状の便槽壁２２から構成されるものである必要はなく、どのような形状であってもよい。図８に例示するように、便槽ユニット２０Ａは、便槽壁２２に凹凸部が設けられていてもよい。便槽壁２２に凹凸部が設けられることにより、より大きな荷重を支えることが可能となり、便槽ユニット２０Ａの耐久性を増すことが可能となる。このように、便槽ユニット２０（又は、便槽ユニット２０Ａ）の形状は、周壁ユニット１０が結合可能なものであれば、どのようなものであってもよい。便槽ユニット２０（又は、便槽ユニット２０Ａ）の内壁面は、防水効果のある素材で形成される。例えば、便槽ユニット２０（又は、便槽ユニット２０Ａ）の内壁面は、防水コーティングが施される。なお、便槽ユニット２０（又は、便槽ユニット２０Ａ）の内壁面は、は、防水コーティングに限らず、防水効果があればどのような処理が施されてもよい。
【００５１】
また、図９は、周壁ユニット１０が、高さ方向に垂直な方向に沿って組み付け可能に三分割した分割体４１、４２、４３を備える場合の例を示す。図９に例示するように、この分割体４１、４２、４３の各々は断面正六角形の筒体形状のうちの５面を形成する。分割体４１は、図９に例示するように、その側面に複数の上部換気口１４を備える。複数の上部換気口１４を設けることにより、トイレ内部に悪臭が籠ることを抑制することができる。なお、図９に例示する上部換気口１４は、１つの壁面部４１に例えば１０個設けられる。なお、１つの壁面部４１に設けられる上部換気口１４の数は、１０個に限られず、いくつ設けてもよい。
【００５２】
この分割体４１、４２、４３の各々は断面正六角形の筒体形状のうちの５面を形成する。分割体４１、４２、４３は、各五面の壁面部４１ｇ、４１ｈ、４１ｉ、４１ｊ、４１ｋ、壁面部４２ｇ、４２ｈ、４２ｉ、４２ｊ、４２ｋ、及び、壁面部４３ｇ、４３ｈ、４３ｉ、４３ｊ、４３ｋを備える。周壁ユニット１０は、高さ２０００〜２７００ｍｍ、各壁面部４１は、高さ６５０〜９００ｍｍ、幅６００ｍｍ〜７００ｍｍ、程度の寸法となっている。なお、分割体４１には、壁面部４１ｌが設けられていてもよい。側面部４１ｌの高さ方向の長さは、他の側面部４１ｇ乃至４１ｋの高さ方向の長さよりも短く、例えば３００ｍｍ程度であり、当該側面部４１ｌの下方にドア１３を取り付けることができるように構成される。なお、壁ユニット１０は、高さ２０００〜２７００ｍｍである必要はなく、どのような高さであってもよい。また、各壁面部４１は、高さ６５０〜９００ｍｍ、幅６００〜７００ｍｍである必要はなく、高さ、幅ともにどのような長さであってもよい。さらに、側面部４１ｌの長さは、３００ｍｍ程度に限られず、どのような長さであってもよい。
【００５３】
図９（ａ）に例示するように、壁面部４１ｇ、４１ｈ、４１ｉ、４１ｊ、４１ｋ及び壁面部４２ｇ、４２ｈ、４２ｉ、４２ｊ、４２ｋのそれぞれは、互いに結合可能である。この際、壁面部４１ｇと壁面部４２ｇ、壁面部４１ｈと壁面部４２ｈ、壁面部４１ｉと壁面部４２ｉ、壁面部４１ｊと壁面部４２ｊ及び壁面部４１ｋと壁面部４２ｋは、上下方向で結合可能な上向き及び下向きのフック、はと目、各種接着剤、等を用いて重ね合わせることが可能である。また、壁面部４２ｇ、４２ｈ、４２ｉ、４２ｊ、４２ｋ及び壁面部４３ｇ、４３ｈ、４３ｉ、４３ｊ、４３ｋのそれぞれは、互いに結合可能である。この際、壁面部４２ｇと壁面部４３ｇ、壁面部４２ｈと壁面部４３ｈ、壁面部４２ｉと壁面部４３ｉ、壁面部４２ｊと壁面部４３ｊ及び壁面部４２ｋと壁面部４３ｋは、上下方向で結合可能な上向き及び下向きのフック、はと目、各種接着剤、等を用いて結合することが可能である。なお、分割体４１、４２、４３は、組み付けの容易性の観点から３分割としているが、分割数は任意である。また、周壁ユニット１０の外観を正六面の筒体形状としているが、正六面のほか、正多角形状の筒体或は多角形状の筒体、円筒体とすることも可能である。
【００５４】
なお、図９（ａ）に例示する便槽ユニットは、図７に例示する便槽壁２２に凹凸部が設けられた便槽ユニット２０Ａである。なお、便槽ユニットは、正六角柱状の便槽壁２２から構成される便槽ユニット２０であってもよい。また、図９（ｂ）に例示するように、壁面部４１を結合させた後、屋根１６を組み付ける。そして、図９（ｃ）のように、ドア１３を取付けて簡易型トイレ１を組み立てる。また、図９（ｃ）に例示するように、簡易型トイレ１は、便槽ユニット２０Ａを囲む外壁２６が設けられていてもよい。外壁２６は、周壁ユニット１０と、上下方向で結合可能な上向き及び下向きのフック、はと目、各種接着剤、等を用いて結合することが可能である。
【００５５】
図１０は、簡易型トイレ１の簡易型トイレの全体斜視図の例である。図１０に例示するように、簡易型トイレ１は、ステー２７を備える。ステー２７は、その一端が周壁ユニット１０を構成する各壁面部４３の下方端に結合され、他端は地面に接するように構成される。ステー２７の他端は、地面と少なくとも“面”で接しており、地面と逆側の面には“重し”（例えば、石やブロック、砂袋、水袋など重量のあるもの）を置くことができる。図１０に例示するように、ステー２７の形状は、略長方形であり、その短辺の一方が各壁面部４３の下方端に結合される。また、ステー２７において、他方の短辺側は、地面と“面”で接する部分が設けられている。なお、ステー２７の形状は、略長方形に限られず、略三角形や略台形など、どのような形状であってもよい。
【００５６】
ステー２７は、図１０に示すように、周壁ユニット１０において、ドア１３が設けられていない壁面部４３の各々に設けることができる。図１０の例では、壁面部４３ｇ、壁面部４３ｈ、壁面部４３ｉ、壁面部４３ｊ及び壁面部４３ｋの各々の一端に設けられる。なお、図１０の例はあくまでも例示であって、ステー２７は、ドア１３が設けられている壁面部４３に設けられてもよい。また、壁面部４３の全てにステー２７が設けられてもよいし、壁面部４３の一部にステー２７が設けられてもよい。また、ステー２７は、プラスチック製や紙製、その他の素材とすることが可能である。
【００５７】
上記のとおり、ステー２７が、その一端が簡易型トイレ１の周壁ユニット１０の各々の壁面部４３の下端と結合し、他端は地面と接しており“重り”を置くことが可能であるから、簡易型トイレ１に対する横方向からの力（すなわち、周壁ユニット１０に垂直な方向からの力）に対する耐久力を担保することができる。例えば、簡易型トイレ１に対して風により、横方向からの力が加わったとしても、ステー２７による耐久力があるため、当該簡易型トイレ１が揺れたり、倒れたりする可能性を低減することができる。
【００５８】
上記のとおり、簡易型トイレ１は、特別な技量を有することなく簡易型トイレ１を組み立てることができる。また、組み立て直後（使用前）にあっては、軽量状態を維持しているため、そのまま、或は便槽ユニット２０のみを組み立てた状態で配置の調整といった移動も容易に行うことができる。
【００５９】
一方、簡易型トイレ１を解体する場合には、上記と逆の手順で周壁ユニット１０のみ、すなわち、屋根１６と分割体３１、３２とを分解するだけで、便槽ユニット２０は、ユニットごと焼却処分に供することができる。すなわち、便槽ユニット２０は、そのまま汚物を収容することができるので、汚物収納容量を確保しつつ汚物を収容したまま保管可能であり、さらに、焼却処分を可能とすることもできる。
【００６０】
以上説明したように、本発明の第２の実施形態に係る簡易型トイレ１は、プライバシーを確保したものでありながら、軽量且つ組み立て・分解を容易に行うことができ、しかも、汚物収納容量を確保しつつ焼却処分を可能とすることができるという効果を有し、災害発生時や屋外イベント開催時等の現場に設置することができる簡易型トイレ全般に有用である。
【００６１】
なお、第１の実施形態１及び第２の実施形態において、簡易型トイレ１は、段ボール製に限られず、例えば、樹脂製の素材や板紙、その他の化学繊維等を高圧縮して作成した素材など、どのような素材で形成されていてもよい。例えば、簡易型トイレ１は、プラスチック製の素材で形成されていてもよい。また、簡易型トイレ１の周壁ユニット１０は、周壁ユニットは、段ボール製、板紙、又は、プラスチック製のパネル構造により形成されてもよい。
【００６２】
また、簡易型トイレ１で使用するシートは、例えば、板紙や樹脂製のシート、紙製段ボールシートである。なお、簡易型トイレ１において、例えば、便槽内の壁面や床板の上面に燃焼可能な防水コーティング処理等を施すのが好ましい。なお、樹脂製シートや紙製段ボールシートのほか、再生紙やその他の化学繊維等を高圧縮して作成したシート材を高圧縮したシート等での代用も可能である。
【００６３】
また、便槽ユニット２０（又は便槽ユニット２０Ａ）の底面は、フォークリフトやハンドトラックパレットの“ツメ”が挿入可能な構造となっている。
【００６４】
図１１は、便槽ユニット２０（又は便槽ユニット２０Ａ）の底面の構成例を示す図である。図１１（ａ）に示す例は、便槽ユニット２０Ａの底面の一例である。便槽ユニット２０Ａの底面は、略正六角形であり、当該略正六角形の各々の辺の中央付近に、凸部５０が設けられている。また、便槽ユニット２０Ａの底面の中央部には、当該便槽ユニット２０Ａを支える支柱の一端５１が設けられており、その形状は略正六角形である。そして、図１１（ａ）に例示するように、便槽ユニット２０Ａの底面において、底面の一辺の凸部５０の位置と、支柱の一端５１とは、フォークリフトやハンドトラックパレットの“ツメ”（図１１において点線で示す）が挿入可能な位置関係で配置される。すなわち、便槽ユニット２０Ａの底面の各辺の凸部５０は、フォークリフトやハンドトラックパレットの２つの“ツメ”の間隔以下の大きさであり、当該“ツメ”は底面の各辺から当該底面の下部に挿入可能となる。また、支柱の一端５１の大きさも、フォークリフトやハンドトラックパレットの２つの“ツメ”の間隔以下の大きさであり、底面の各辺から挿入された“ツメ”は当該支柱の一端５１に当たらずに、当該底面の下部に挿入可能である。
【００６５】
また、図１１（ｂ）に例示するように、便槽ユニット２０Ａの底面には、フォークリフトやハンドトラックパレットの“ツメ”を挿入するための凹部５２が設けられていてもよい。この場合、フォークリフトやハンドトラックパレットの“ツメ”は、当該凹部５２に沿って、便槽ユニット２０Ａの底面の下側に挿入可能である。
【００６６】
なお、以上の説明において、「垂直」「平行」「平面」等の記載がある場合に、これらの各記載は厳密な意味ではない。すなわち、「垂直」「平行」「平面」とは、設計上や製造上等における公差や誤差が許容され、「実質的に垂直」「実質的に平行」「実質的に平面」という意味である。なお、ここでの公差や誤差とは、本発明の構成・作用・効果を逸脱しない範囲における単位のことを意味するものである。
【００６７】
また、以上の説明において、外観上の寸法や大きさが「同一」「等しい」「異なる」等の記載がある場合に、これらの各記載は厳密な意味ではない。すなわち、「同一」「等しい」「異なる」とは、設計上や製造上等における公差や誤差が許容され、「実質的に同一」「実質的に等しい」「実質的に異なる」という意味である。なお、ここでの公差や誤差とは、本発明の構成・作用・効果を逸脱しない範囲における単位のことを意味するものである。
【符号の説明】
【００６８】
１  簡易型トイレ
１０  周壁ユニット
１１  分割体
１２  分割体
１３  ドア（出入口）
１４  上部換気口
１５  下部換気口
１６  屋根
２０  便槽ユニット
２１  底板
２２  便槽壁
２３  仕切壁
２４  補強部材
２５  床板
２５ａ  開口
３１  分割体
３２  分割体
４１  分割体
４２  分割体
４３  分割体
【図１】
2018012630.tif 000003
【図２】
2018012630.tif 000004
【図３】
2018012630.tif 000005
【図４】
2018012630.tif 000006
【図５】
2018012630.tif 000007
【図６】
2018012630.tif 000008
【図７】
2018012630.tif 000009
【図８】
2018012630.tif 000010
【図９】
2018012630.tif 000011
【図１０】
2018012630.tif 000012
【図１１】
2018012630.tif 000013
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
少なくとも一つの出入口と換気口とを有する周壁ユニットと、前記周壁ユニットの内側において排便用の開口を形成した床板の下方に便槽壁を有する便槽ユニットと、を備え、
前記周壁ユニットは、
高さ方向又は高さ方向に垂直な方向に沿って組み付け可能に分割されるとともに、組み付け状態において筒状となる壁面部を備え、
前記便槽ユニットは、
前記便槽壁の下端縁で重なって前記便槽壁の下端開口を覆う底板と、
前記便槽壁の上端縁で重なって前記便槽壁の上端開口を覆う前記床板と、
燃焼可能な防水コーティング処理された内壁面と、
を備える、簡易型トイレ。
【請求項２】
前記周壁ユニットおよび前記便槽ユニットは、燃焼可能な防水コーティング処理された素材で形成される
ことを特徴とする請求項１に記載の簡易型トイレ。
【請求項３】
前記周壁ユニットは、段ボール製、板紙、又は、プラスチック製のパネル構造である
ことを特徴とする請求項１又は２に記載の簡易型トイレ。
【請求項４】
前記便槽ユニットは、
前記便槽壁の内部に収納可能な蛇腹状の周壁を有する仕切壁と、
前記仕切壁の内側に嵌り込んで前記仕切壁の断面形状を維持する補強部材と、
を備える、ことを特徴とする請求項１乃至３のいずれか一項に記載の簡易型トイレ。
【請求項５】
前記底板は、
前記便槽ユニットの全体を吊り上げるための起立可能な複数のフランジを一体に備える、
ことを特徴とする請求項１乃至４のいずれか一項に記載の簡易型トイレ。
【国際調査報告】
2018012630.tif 000014
2018012630.tif 000015